(57)【要約】      （修正有）【課題】ロボット掃除機と直立型掃除機を共に収納でき、収納効率の低下を招くことがない掃除機収納台を提供する。【解決手段】直立型掃除機１００を直立した状態のままで収納可能な掃除機収納台１０において、床面に載置されるベース２０、ベースに対して垂直に立設されるボード３２を有する垂直部、垂直部に設けられ、直立型掃除機に装着される充電器が取り付けられる取付部４０を備え、充電器に直立型掃除機が装着された状態で、直立型掃除機の先端に取り付けられた吸込ヘッド１０３とベースとの間に、自走して床面の掃除を行うロボット掃除機を収納する収納空間Ｓが形成される。【選択図】図６
0003210454.tif 000002
【実用新案登録請求の範囲】
【請求項１】
充電器に装着される充電部が形成された本体部及び該本体部から離間して吸込用部材が取り付けられる先端を有する直立型掃除機を該直立型掃除機が直立した状態のままで収納可能な掃除機収納台において、
床面に載置される板状のベースと、
該ベースに対して垂直に立設される垂直部と、
該垂直部に設けられ、前記直立型掃除機の前記充電部に装着される前記充電器が取り付けられる取付部と、を備え、
該取付部に取り付けられた前記充電器に前記充電部において前記直立型掃除機が装着された状態で、前記直立型掃除機の先端に取り付けられた前記吸込用部材と前記ベースとの間に、自走して前記床面の掃除を行うロボット掃除機を収納する収納空間が形成されることを特徴とする掃除機収納台。
【請求項２】
前記ベースは、
前記ロボット掃除機が帰還する帰還位置として設定された該ロボット掃除機の充電器が配置され、
前記ロボット掃除機が前記帰還位置に帰還する際に前記ロボット掃除機が自走により前記ベースに搭乗して前記ロボット掃除機が前記収納空間に収納されることを特徴とする請求項１に記載の掃除機収納台。
【請求項３】
前記ベースは、
前記垂直部が立設される平面部と、
該平面部と連続して形成され、前記床面に向かって漸次低くなるように傾斜して該床面と連続する傾斜部と、
を備えることを特徴とする請求項１または２に記載の掃除機収納台。
【考案の詳細な説明】
【技術分野】
【０００１】
本考案は、掃除機収納台、特に、直立した状態のままで直立型掃除機を収納可能な掃除機収納台に関する。
【背景技術】
【０００２】
一般に、直立型掃除機は軽量で操作性に富み、収納時には、例えば一般家庭向けの住居では、家具と壁との間の狭隘な空間において、家具または壁に立てかけて収納できることから、利便性が高く、広く普及している。
【０００３】
このような直立型掃除機には、充電して使用するものが存在しており、充電器を例えば壁にネジ等で固定して、この充電器に直立型掃除機を装着すると、直立型掃除機を充電しながら直立したままの状態で収納することができる。
【０００４】
しかし、充電器をネジ等で壁に固定すれば、壁に孔を開けることになるから、賃貸物件では、充電器を壁に固定することは困難である。賃貸物件でなくとも、壁に孔を開けないで充電式の直立型掃除機を直立したままの状態で収納したいという要望がある。
【０００５】
特許文献１には、床面に設置される床設置台、この床設置台に垂直に立設された垂直板を備え、垂直板の上部に充電器が取り付けられる取付部が形成された直立型掃除機収納台が開示されている。
【０００６】
この特許文献１の直立型掃除機収納台によれば、垂直板の取付部に充電器を取り付けておき、収納時に直立型掃除機を充電器に装着させると、充電器を介して直立型掃除機が垂直板に支持される。これにより、直立型掃除機を充電しながら直立したままの状態で収納することができる。
【０００７】
このとき、吸込ヘッド等の部品が取り付けられる直立型掃除機の吸い込み口側が、部品が取りつけられた状態あるいは部品が取り外された状態で、床設置台に接地される、あるいは床設置台に近接される。
【先行技術文献】
【特許文献】
【０００８】
【特許文献１】実用新案登録第３２０４９８１号公報
【考案の概要】
【考案が解決しようとする課題】
【０００９】
ところで、近年、自走して床面の掃除を行ういわゆるロボット掃除機の普及が進んでいる。このロボット掃除機は、内蔵された蓄電池が充電器で充電されることによって自走可能となり、自走によって所望の範囲の床面の掃除が終了すると、充電器が配置された空間に帰還して充電器に接続される。
【００１０】
このようなロボット掃除機の普及が進むにつれて、ロボット掃除機と直立型掃除機とが併用される場合が増大している。このように併用される場合は、その収納の際も、ロボット掃除機と直立型掃除機とを共に収納しておくことが、収納効率や美観の点等からは好適である。
【００１１】
しかし、特許文献１の直立型掃除機収納台によれば、直立型掃除機については充電しながら、直立したままの状態で収納することができるものの、直立型掃除機を収納すると、吸込ヘッド等の部品が取り付けられる直立型掃除機の吸い込み口側が、部品が取りつけられた状態あるいは部品が取り外された状態で、床設置台に接地される、あるいは床設置台に近接されることとなる。
【００１２】
そうすると、ロボット掃除機を直立型掃除機収納台に収納する空間を確保することができなくなることから、ロボット掃除機の収納空間を直立型掃除機とは別に確保する必要がある。
【００１３】
したがって、直立型掃除機とロボット掃除機とをそれぞれ別に収納する必要があることから、掃除機の収納効率が低下する不都合が生じることとなる。
【００１４】
本考案は、上記事情に鑑みてなされたものであり、収納効率の低下を招くことがない掃除機収納台を提供することを課題とするものである。
【課題を解決するための手段】
【００１５】
上記課題を解決するための第１の掃除機収納台は、充電器に装着される充電部が形成された本体部及び該本体部から離間して吸込用部材が取り付けられる先端を有する直立型掃除機を該直立型掃除機が直立した状態のままで収納可能な掃除機収納台において、床面に載置される板状のベースと、該ベースに対して垂直に立設される垂直部と、該垂直部に設けられ、前記直立型掃除機の前記充電部に装着される前記充電器が取り付けられる取付部と、を備え、該取付部に取り付けられた前記充電器に前記充電部において前記直立型掃除機が装着された状態で、前記直立型掃除機の先端に取り付けられた前記吸込用部材と前記ベースとの間に、自走して前記床面の掃除を行うロボット掃除機を収納する収納空間が形成されることを特徴とする。
【００１６】
この構成によれば、垂直部の取付部に直立型掃除機の充電器が取り付けられた状態において、充電器に直立型掃除機が充電部を介して装着されることによって、直立型掃除機が直立したままの状態で掃除機収納台に収納される。
【００１７】
このとき、直立型掃除機の先端に取り付けられた吸込用部材とベースとの間に、ロボット掃除機を収納する収納空間が形成され、この収納空間にロボット掃除機が収納される。
【００１８】
このように、直立型掃除機が直立したままの状態で掃除機収納台に収納されるとともに、ロボット掃除機が直立型掃除機の吸込用部材とベースとの間に形成される収納空間に収納されることから、収納効率の低下を招くことなく、直立型掃除機とロボット掃除機とを省スペースで収納することができる。
【００１９】
第２の掃除機収納台は、第１の掃除機収納台において、前記ベースは、前記ロボット掃除機が帰還する帰還位置として設定された該ロボット掃除機の充電器が配置され、前記ロボット掃除機が前記帰還位置に帰還する際に前記ロボット掃除機が自走により前記ベースに搭乗して前記ロボット掃除機が前記収納空間に収納されることを特徴とする。
【００２０】
この構成によれば、ロボット掃除機が帰還する帰還位置として設定されたロボット掃除機の充電器がベースに配置されることから、床面を自走するロボット掃除機による床面の掃除が完了すると、ロボット掃除機がベースに帰還して、ロボット掃除機が自律的に収納空間に収納される。
【００２１】
第３の掃除機収納台は、第１または第２の掃除機収納台において、前記ベースは、前記垂直部が立設される平面部と、該平面部と連続して形成され、前記床面に向かって漸次低くなるように傾斜して該床面と連続する傾斜部と、を備えることを特徴とする。
【００２２】
この構成によれば、ベースには、本実施の形態では、床面に向かって漸次低くなるように傾斜して床面と連続する傾斜部が形成されていることから、ロボット掃除機がベースから降下する際、あるいはベースに搭乗する際には、ロボット掃除機に衝撃が付与されることがない。したがって、ロボット掃除機のベースへのスムーズな乗降が実現される。
【考案の効果】
【００２３】
この考案によると、収納効率の低下を招くことなく、直立型掃除機とロボット掃除機とを省スペースで収納することができる。
【図面の簡単な説明】
【００２４】
【図１】本考案の実施の形態に係る掃除機収納台の概略を説明する斜視図である。
【図２】図１のＡ部の拡大図である。
【図３】同じく、本実施の形態に係る掃除機収納台の概略を説明する背面斜視図である。
【図４】同じく、本実施の形態に係る掃除機収納台の概略を説明する側面図である。
【図５】同じく、本実施の形態に係る掃除機収納台に直立型掃除機の充電器が取り付けられ、かつロボット掃除機の充電器が配置された状態の概要を説明する図である。
【図６】同じく、直立型掃除機の充電器に直立型掃除機が装着され、かつロボット掃除機の充電器にロボット掃除機が装着されて、各掃除機が掃除機収納台に収納された状態の概要を説明する図である。
【図７】同じく、本実施の形態に係る掃除機収納台に、複数の可動棚が配置された状態の概略を説明する図である。
【図８】本実施の形態に係る掃除機収納台に収納される直立型掃除機及びロボット掃除機の概略を説明する図であり、Ａは直立型掃除機、Ｂはロボット掃除機の概略を説明する図である。
【考案を実施するための形態】
【００２５】
次に、図１〜図８に基づいて、本考案の実施の形態について説明する。
【００２６】
掃除機収納台は、本実施の形態では、直立型掃除機を直立したままの状態で収納するとともに、この直立型掃除機が収納されたままの状態で、自走して床面の掃除を行うロボット掃除機をも収納するものである。
【００２７】
この掃除機収納台の説明に先立って、掃除機収納台に収納される直立型掃除機及びロボット掃除機の概略を説明する。
【００２８】
図８は、掃除機収納台に収納される直立型掃除機及びロボット掃除機の概略を説明する図であり、Ａは直立型掃除機、Ｂはロボット掃除機の概略を説明する図である。
【００２９】
図８Ａで示すように、直立型掃除機１００は、電装品、蓄電池、モータ及びフィルタ等が内蔵されるとともに充電器１０５に装着される充電部１０１ａが形成された本体部１０１、基端１０２ａ及び先端１０２ｂを有する吸込パイプ１０２、基端１０２ａにおいて吸込パイプ１０２が本体部１０１に連結された状態で吸込パイプ１０２の先端１０２ｂに連結される吸込用部材である吸込ヘッド１０３を主要構成として備える。
【００３０】
一方、図８Ｂで示すように、ロボット掃除機１１０は、電装品、蓄電池、モータ及びフィルタ等が内蔵されるケーシング１１１、及びケーシング１１１に組み込まれた図示しない一対の駆動輪を有し、充電器１１５に装着されて蓄電池が充電されると、自走して床面を掃除することが可能となる。
【００３１】
このロボット掃除機１１０は、床面の掃除が完了すると、充電器１１５が配置された位置を検出し、この位置を帰還位置と認識して、充電器１１５が配置された位置に帰還する。
【００３２】
次に、本実施の形態に係る掃除機収納台について説明する。
【００３３】
図１は、本実施の形態に係る掃除機収納台の概略を説明する斜視図、図２は、図１のＡ部の拡大図、図３は、掃除機収納台の概略を説明する背面斜視図、図４は、本実施の形態に係る掃除機収納台の概略を説明する側面図である。
【００３４】
図１で示すように、掃除機収納台１０は、床面に載置される板状のベース２０、ベース２０に対して垂直に立設される垂直部３０、及び垂直部３０に設けられた取付部４０を主要構成として備える。
【００３５】
図２で示すように、ベース２０は、本実施の形態では、前端２０ａ、後端２０ｂ及び前端２０ａと後端２０ｂとを連続する両側端２０ｃ、２０ｃを有する平面視略矩形の金属製であって、矢線Ｗで示すベース２０の幅は、ロボット掃除機１１０の一対の駆動輪の輪幅に合わせて設定されている。
【００３６】
このベース２０は、垂直部３０が立設される平面部２１、及び平面部２１と連続して形成された傾斜部２２を備える。傾斜部２２は、ベース２０が床面に載置された状態で床面に向かって漸次低くなるように傾斜して、床面と段差がなく床面と連続するように形成されており、本実施の形態では、床面に対して３．５°の傾斜角となるように設定されている。
【００３７】
図３及び図１で示すように、垂直部３０は、本実施の形態では、金属製の角材で構成された一対の支柱３１、３１、及び一対の支柱３１、３１に取り付けられる金属製のボード３２によって構成される。
【００３８】
一対の支柱３１、３１には、本実施の形態では、支柱３１、３１の長尺方向に沿って複数の係止孔３１ａが形成されており、ベース２０の下方から図示しないボルトによってベース２０の平面部２１に固定されて、ベース２０に立設される。
【００３９】
ボード３２は、正面部３２ａ及び正面部３２ａの両側縁から折曲して形成された両側部３２ｂ、３２ｂを有する断面コ字状あるいはＣ字状であって、この両側部３２ｂ、３２ｂにおいて一対の支柱３１、３１にボード３２が係合され、係合された状態でボード３２が支柱３１、３１に強固に溶接される。これにより、垂直部３０が構成される。
【００４０】
再び図１で示すように、垂直部３０の上部には、取付部４０が設けられている。この取付部４０は、本実施の形態では、ボード３２の正面部３２ａの上部に設定された基部４１、基部４１に形成された複数の取付孔４２、及び取付孔４２の上部に形成された正面視略矩形の通過孔４３を備える。
【００４１】
このような構成の掃除機収納台１０には、本実施の形態では、図３及び図４で示すように、固定棚５０が設けられている。この固定棚５０は、垂直部３０から矢線Ｒで示す垂直部３０の後方に突出する載置部５１、この載置部５１から上方に屈曲するフランジ部５２、及びフランジ部５２の外表面に設けられてこの外表面から突出する樹脂製の衝撃緩衝材５３を有する。
【００４２】
固定棚５０は、本実施の形態では、載置部５１において垂直部３０を構成する一対の支柱３１、３１の間に架設されてネジ等の締結部材で固定され、固定された状態において、ベース２０の後端２０ｂに対して２０ｍｍ程度、垂直部３０の後方Ｒに向かって突出する。
【００４３】
さらに、掃除機収納台１０は、配線結束部材６０を有する。この配線結束部材６０は、環状のフックを有し、ベース２０の平面部２１において、垂直部３０の後方Ｒ側に設けられている。
【００４４】
この配線結束部材６０のフックに、直立型掃除機１００の充電器１０５に通電する配線が通されることによって、配線の大幅な揺動が規制される。
【００４５】
図５は、掃除機収納台１０に直立型掃除機１００の充電器１０５が取り付けられ、かつロボット掃除機１１０の充電器１１５が配置された状態の概要を説明する図、図６は、これらの充電器１０５、１１５に各掃除機１００、１１０が装着されて掃除機収納台１０に収納された状態の概要を説明する図である。
【００４６】
図５で示すように、垂直部３０の上部に設けられた取付部４０には、直立型掃除機１００の充電器１０５が取り付けられる。具体的には、取付部４０の基部４１に充電器１０５が配置された状態で、基部４１に形成された複数の取付孔４２を介してネジ等の締結部材を締結することによって、充電器１０５を基部４１に固定する。
【００４７】
このとき、充電器１０５に通電する配線を、通過孔４３から通過させて、垂直部３０の一対の支柱３１、３１の間に垂下させておき、ベース２０に設けられた配線結束部材６０のフックを通過させておく。
【００４８】
一方、ベース２０には、ロボット掃除機１１０が帰還する帰還位置として設定された充電器１１５が配置される。
【００４９】
このように、掃除機収納台１０に直立型掃除機１００の充電器１０５が取り付けられ、かつロボット掃除機１１０の充電器１１５が配置された状態において、図６で示すように、充電器１０５に直立型掃除機１００が充電部１０１ａを介して装着されることによって、直立型掃除機１００が直立したままの状態で掃除機収納台１０に収納される。
【００５０】
このとき、直立型掃除機１００の吸込パイプ１０２の先端１０２ｂに連結された吸込ヘッド１０３とベース２０との間に、ロボット掃除機１１０を収納する収納空間Ｓが形成され、この収納空間Ｓにロボット掃除機１１０が収納される。
【００５１】
すなわち、取付部４０に取り付けられた充電器１０５に直立型掃除機１００が装着されたときに、直立型掃除機１００の吸込ヘッド１０３とベース２０との間に収納空間Ｓが形成される垂直部３０における高さ位置に、取付部４０が形成される。
【００５２】
このように、直立型掃除機１００が直立したままの状態で掃除機収納台１０に収納される一方、ロボット掃除機１１０が直立型掃除機１００の吸込ヘッド１０３とベース２０との間に形成される収納空間Ｓに収納されることから、収納効率の低下を招くことなく、直立型掃除機１００とロボット掃除機１１０とを省スペースで収納することができる。
【００５３】
しかも、直立型掃除機１００の吸込ヘッド１０３とベース２０との間の収納空間Ｓに収納されたロボット掃除機１１０が、自走によりベース２０から降下して床面の掃除を実施し、床面の掃除が完了すると、ロボット掃除機１１０がベース２０に帰還して、自律的に収納空間Ｓに収納される。
【００５４】
一方、ベース２０には、本実施の形態では、床面と段差がなく床面と連続する傾斜部２２が形成されていることから、ロボット掃除機１１０がベース２０から降下する際、あるいはベース２０に搭乗する際には、ロボット掃除機１１０に衝撃が付与されることがない。したがって、ロボット掃除機１１０のベース２０へのスムーズな乗降が実現される。
【００５５】
ロボット掃除機１１０の充電量の減少によって、駆動輪を駆動させる出力が低下している場合であっても、本実施の形態では、傾斜部２２が、床面と段差がなく床面と連続し、床面に対して３．５°の緩慢な傾斜角であることから、ベース２０に容易に搭乗することができる。
【００５６】
さらに、本実施の形態では、掃除機収納台１０は固定棚５０を具備することから、この固定棚５０に、直立型掃除機１００に付属する例えば隙間ノズル等の吸込用部材を載置することができる。したがって、掃除機の収納効率が向上する。
【００５７】
一方、掃除機収納台１０を壁際に配置すると、固定棚５０のフランジ部５２が衝撃緩衝材５３を介して壁に当接する。したがって、垂直部３０が固定棚５０を介して壁に支持されることで、垂直部３０の揺動が規制されることから、直立型掃除機１００を充電器１０５に装着する際、あるいは充電器１０５から離脱させる場合には、掃除機収納台１０のぐらつきが抑制される。
【００５８】
このとき、ベース２０の後端２０ｂが壁の幅木に当接する場合であっても、固定棚５０は、ベース２０の後端２０ｂに対して２０ｍｍ程度、垂直部３０の後方Ｒに向かって突出することから、固定棚５０のフランジ部５２の壁への当接が阻害されることがない。
【００５９】
掃除機収納台１０は、本実施の形態では、環状のフックを有する配線結束部材６０を具備することから、このフックに、直立型掃除機１００の充電器１０５に通電する配線が通されることによって、配線の大幅な揺動が規制される。
【００６０】
なお、本考案は上記実施の形態に限定されることはなく、考案の趣旨を逸脱しない範囲で種々変更可能である。上記実施の形態では、掃除機収納台１０が、垂直部３０の後方Ｒに突出する固定棚５０を具備することを説明したが、図７で示すように、固定棚５０に加えて、複数の可動棚７０〜７２を具備するように構成してもよい。
【００６１】
図示のように、可動棚７０〜７２は、垂直部３０を構成する一対の支柱３１、３１に形成された複数の係止孔３１ａに係合する図示しない係合フックを有し、この係合フックを任意の係止孔３１ａに係合させることによって、可動棚７０〜７２を配置する位置を容易に変更することができる。
【００６２】
なお、この可動棚７０〜７２にも、固定棚５０と同様に、直立型掃除機１００に付属する各種の吸込用部材を載置することができる。
【符号の説明】
【００６３】
１０    掃除機収納台
２０    ベース
２０ｂ    後端
２２    傾斜部
３０    垂直部
４０    取付部
５０    固定棚
６０    配線結束部材
７０〜７２    可動棚
１００    直立型掃除機
１０１    本体部
１０１ａ    充電部
１０３    吸込ヘッド（吸込用部材）
１０５    充電器
１１０    ロボット掃除機
【図１】
0003210454.tif 000003
【図２】
0003210454.tif 000004
【図３】
0003210454.tif 000005
【図４】
0003210454.tif 000006
【図５】
0003210454.tif 000007
【図６】
0003210454.tif 000008
【図７】
0003210454.tif 000009
【図８】
0003210454.tif 000010